(57)【要約】【課題】携帯情報端末がサーバと通信する際に、セキュリティ性能の維持を可能とするとともに、逐一認証情報を携帯情報端末に入力することなく、認証情報サーバに送信できるようにして、携帯情報端末とサーバとの通信が容易に行われるようにする。【解決手段】携帯情報端末２が、複数の押釦キーからなる入力手段２０と、認証情報２１５を記憶する認証情報記憶手段２１と、認証情報記憶手段２１から読み込んだ認証情報２１５をサーバ１に送信可能な認証情報送信手段２３と、入力手段２０の複数の押釦キーのうち、特定の組み合わせの押釦キーが同時に押釦されたことを検知する検知手段２４と、検知手段２４の検知があったときに認証情報送信手段２３の認証情報の送信を許容する送信許容手段２３ａとを備えることを特徴とする健康状態管理支援システム。【選択図】  図２
2008250362.tif 000002
【特許請求の範囲】
【請求項１】
健康状態の管理対象となる管理対象者の健康管理情報を記憶する健康管理情報記憶手段を備えるサーバと、該サーバにネットワークを介して互いに通信可能に接続されるとともに、該通信により少なくとも前記健康管理情報を閲覧可能な携帯情報端末と、から構成される健康状態管理支援システムであって、
前記サーバが、前記携帯情報端末から所定の認証情報を受信し、該認証情報に基づいて当該携帯情報端末との通信を認証する認証手段と、該認証手段による認証が成功したときに前記携帯情報端末との通信を許容する通信許容手段と、を備え、
前記携帯情報端末が、複数の押釦キーからなる入力手段と、前記認証情報を記憶する認証情報記憶手段と、該認証情報記憶手段から認証情報を読み込む読込手段と、該読込手段が読み込んだ認証情報を前記サーバに送信可能な認証情報送信手段と、前記入力手段の複数の押釦キーのうち、特定の組み合わせの押釦キーが同時に押釦されたことを検知する検知手段と、該検知手段の検知があったときに前記認証情報送信手段の認証情報の送信を許容する送信許容手段と、を備えることを特徴とする健康状態管理支援システム。
【請求項２】
前記検知手段が、前記押釦キーの特定の組み合わせを記憶する組み合わせ記憶手段と、前記押釦キーの押釦時間を計測し、該押釦キーの押釦が所定時間以上継続したときに押釦キーの押釦有りを判断する押釦判断手段と、該押釦判断手段が押釦有りを判断したときに、該押釦された押釦キーが前記組み合わせ記憶手段に記憶された組み合わせと一致するか否かを判断する検証手段と、を備えるとともに、前記検証手段が一致を判断したときに特定の組み合わせの押釦キーの押釦を検知したとすることを特徴とする請求項１記載の健康状態管理支援システム。
【請求項３】
前記検知手段が、該組み合わせ記憶手段に記憶される押釦キーの組み合わせを設定変更可能な組み合わせ設定手段を備えることを特徴とする請求項２記載の健康状態管理支援システム。
【請求項４】
前記サーバが、前記生体情報を蓄積し、該蓄積された生体情報に基づいて健康管理情報を構築するとともに当該構築した健康管理情報を健康管理情報記憶手段に記憶させる健康管理情報構築手段を備え、
前記携帯情報端末のうち、前記管理対象者側の携帯情報端末が、前記生体情報を前記サーバに送信する生体情報送信手段を備えることを特徴とする請求項１〜３のいずれか一項に記載の健康状態管理支援システム。
【請求項５】
前記携帯情報端末が、前記管理対象者の生体情報を採取する生体情報採取手段を備え、前記生体情報送信手段が、前記生体情報採取手段で採取した生体情報を送信することを特徴とする請求項４記載の健康状態管理支援システム。
【請求項６】
前記管理対象者が、母親及びその子供であることを特徴とする請求項１〜５のいずれか一項に記載の健康状態管理支援システム。
【請求項７】
健康管理の対象となる管理対象者の生体情報を蓄積して健康管理情報を構築するサーバにネットワークを介して互いに通信可能に接続されるとともに、前記サーバとの通信により前記健康管理情報を閲覧可能な携帯情報端末であって、
複数の押釦キーからなる入力手段と、前記認証情報を記憶する認証情報記憶手段と、該認証情報記憶手段から認証情報を読み込む読込手段と、該読込手段が読み込んだ認証情報を前記サーバに送信可能な認証情報送信手段と、前記入力手段の複数の押釦キーのうち、特定の組み合わせの押釦キーが同時に押釦されたことを検知する検知手段と、該検知手段の検知があったときに前記認証情報送信手段の認証情報の送信を許容する送信許容手段とを備えることを特徴とする携帯情報端末。
【請求項８】
健康管理の対象となる管理対象者の生体情報を蓄積して健康管理情報を構築するサーバにネットワークを介して互いに通信可能に接続されるとともに、前記サーバとの通信により前記健康管理情報を閲覧可能な携帯情報端末であって、
複数の押釦キーからなる入力手段と、前記認証情報を記憶する認証情報記憶手段と、を備える携帯情報端末において、
前記認証情報記憶手段から認証情報を読み込む機能と、該読込手段が読み込んだ認証情報を前記サーバに送信する機能と、認証情報の送信のときに、前記入力手段の複数の押釦キーのうち、特定の組み合わせの押釦キーが同時に押釦されたことを検知する検知機能と、該検知機能の検知があったときに前記認証情報の送信を許容する機能を実現させるためのプログラム。
【発明の詳細な説明】
【技術分野】
【０００１】
本発明は、例えば、身長、体重、体温、脈拍、血圧などの生体情報から健康管理情報を構築し、生体情報が採取された管理対象者に閲覧させて、管理対象者の健康管理の支援する健康状態管理支援システム及び健康状態管理支援システムに用いられる携帯情報端末に関する。
【０００２】
一般に、例えば、母親と母親が出産した子供などの健康状態の管理対象者に用いられる、いわゆる母子健康手帳のような、身長、体重、体温、脈拍、血圧などの生体情報を記載して、生体情報を蓄積し、管理対象者及び医療機関が健康状態の管理の参考にする健康管理情報を構築する手帳が広く用いられている。
【０００３】
従来、このような健康管理情報を電子データ化した健康管理情報支援システムとしては、例えば、特許文献１〜５記載の技術が知られている。
特許文献１及び２には、母子健康手帳を電子データ化した母子健康手帳システムの技術が記載されている。
また、特許文献２には、電子データ化した母子健康手帳の健康管理情報を記憶したサーバと、インターネットを介してサーバから健康管理情報を受信可能な自宅のパーソナルコンピュータからなる母子健康手帳システムの技術が記載されている。
【０００４】
特許文献３には、女性の妊娠や避妊のための健康管理情報が記憶されるサーバと、サーバに体温などの生体情報を送信するとともに、サーバの健康管理情報を閲覧する端末及び携帯端末とから構成される女性用の健康管理支援システムが記載されている。
特許文献４には、患者の生体情報に基づいて健康管理情報を構築するサーバと、健康管理情報を編集する医師用端末、及び、健康管理情報を閲覧するための患者用端末とを備えた健康管理支援システムが記載されている。
【０００５】
このようなシステムにおいては、当事者である母親と医療機関でのやり取りは円滑に行なわれるが、遠隔地に住む家族（祖母・祖父など）は随時変化する状況を把握する事が難しかった。そのため、健康管理情報を、子供の親だけでなく、子供の祖父母などにも閲覧を可能にして、祖父母の経験をもとに子供の親にアドバイスをできるようにしたいという要請がある。
従来、遠隔地に居住するものに、健康管理情報を閲覧するようにする技術としては、特許文献５に記載の技術が知られている。
この特許文献５に記載のシステムは、独居老人の健康管理情報を、ネットワークを介して遠隔地に居住する家族などが閲覧できるようにしている（特許文献５）
【０００６】
また、このように母子健康手帳などに記載する健康管理情報は、ネットワークを介して当事者及び当事者以外の特定のものに情報を閲覧できるようにするためには、例えば、パスワードなどにより閲覧者の認証を行なっている（特許文献６）。
また、このようなシステムにおいて、サーバの健康管理情報は、例えば、携帯電話などの携帯情報端末により、閲覧される。
【０００７】
【特許文献１】特開２０００−２８５１７８号公報
【特許文献２】特開２００５−１９０３８７号公報
【特許文献３】特開２００２−３６０５８０号公報
【特許文献４】特開２００４−３２１３７３号公報
【特許文献５】特開２００６−１４６８２７号公報
【特許文献６】特開２００２−１４９６０９号公報
【発明の開示】
【発明が解決しようとする課題】
【０００８】
しかしながら、このような従来の通信システムにあっては、携帯情報端末では、携帯情報端末の入力装置を用いてパスワードなどの認証情報を入力してから閲覧することになるが、閲覧のたびに、逐一パスワードを入力しなければならず、この操作が複雑であった。
また、健康管理情報は、医療機関で取り扱う情報であって、個人情報が多く含まれており、部外者には知られたくない情報であり、セキュリティを強固にする関係上、適当な長さのパスワードが必要となるが、そのような長さのパスワードの入力は、特に煩雑である。また、パスワードを短かくしてしまうと、解読されたり、総当り攻撃されたりし、部外者に健康管理情報が知られやすくなり、セキュリティ性能が低減する。
【０００９】
また、高齢者など、携帯情報端末の扱いが不慣れなものにとっては、パスワードの入力に非常に時間がかかるので、例えば、母子手帳システムにおいて、子供の祖父母が健康管理情報を閲覧しにいという問題もあった。そのため、子供の親が、祖父母から適切なアドバイスを受けにくくなっていた。
また、生体情報を管理対象者側から送信して、例えば、サーバに蓄積させるようなシステムの場合には、健康管理情報をより有効とするために、こまめに生体情報を送信することが必要となるが、この場合にも、逐一、パスワードの入力をなさなければならず煩雑となっていた。そのため、管理対象者が生体情報の蓄積を怠りやすくなり、有効な健康管理情報を構築できないおそれがあった。
【００１０】
本発明は、以上のような従来の技術が有する問題を解決するために提案されたものであり、携帯情報端末がサーバと通信する際に、セキュリティ性能の維持を可能とするとともに、逐一認証情報を携帯情報端末に入力することなく、認証情報サーバに送信できるようにして、携帯情報端末とサーバとの通信が容易に行われるようにした健康状態管理支援システム及びこのシステムに用いられる携帯情報端末、携帯情報端末に用いられるプログラムの提供を目的とする。
【課題を解決するための手段】
【００１１】
上記目的を達成するため、本発明の健康状態管理支援システムは、健康状態の管理対象となる管理対象者の健康管理情報を記憶する健康管理情報記憶手段を備えるサーバと、該サーバにネットワークを介して互いに通信可能に接続されるとともに、該通信により少なくとも前記健康管理情報を閲覧可能な携帯情報端末と、から構成される健康状態管理支援システムであって、前記サーバが、前記携帯情報端末から所定の認証情報を受信し、該認証情報に基づいて当該携帯情報端末との通信を認証する認証手段と、該認証手段による認証が成功したときに前記携帯情報端末との通信を許容する通信許容手段と、を備え、前記携帯情報端末が、複数の押釦キーからなる入力手段と、前記認証情報を記憶する認証情報記憶手段と、該認証情報記憶手段から認証情報を読み込む読込手段と、該読込手段が読み込んだ認証情報を前記サーバに送信可能な認証情報送信手段と、前記入力手段の複数の押釦キーのうち、特定の組み合わせの押釦キーが同時に押釦されたことを検知する検知手段と、該検知手段の検知があったときに前記認証情報送信手段の認証情報の送信を許容する送信許容手段と、を備えている。
【００１２】
このような構成からなる健康管理情報支援システムによれば、予め、認証情報を記憶する認証情報記憶手段に記憶しておくとともに、検知手段が、特定の組み合わせの押釦キーが同時に押釦されたことを検知したときに、送信許容手段で、認証情報送信手段の認証情報の送信を許容するので、逐一、認証情報としてパスワードなどを入力手段の押釦キーを押釦して入力しなくてもよくなる。
これにより、特定組み合わせの押釦キーを、押釦するだけでサーバに認証情報を容易に送信することができ、携帯情報端末とサーバの通信を簡単に行うことができる。
すなわち、スムーズに母子健康手帳に関する各種サービスを含む健康管理情報を、管理対象者に提供することができる。
【００１３】
また、子供の祖父母のような高齢者など、携帯情報端末の扱いが不慣れなものにとっても、パスワードの入力あまり手間取ることがなくなり、健康管理情報を容易に閲覧することができる。
また、認証情報記憶手段に記憶された認証情報としてのパスワードを適当な長さにしておけば、セキュリティ性能を維持することができる。
【００１４】
また、前記検知手段が、前記押釦キーの特定の組み合わせを記憶する組み合わせ記憶手段と、前記押釦キーの押釦時間を計測し、該押釦キーの押釦が所定時間以上継続したときに押釦キーの押釦有りを判断する押釦判断手段と、該押釦判断手段が押釦有りを判断したときに、該押釦された押釦キーが前記組み合わせ記憶手段に記憶された組み合わせと一致するか否かを判断する検証手段と、を備えるとともに、前記検証手段が一致を判断したときに特定の組み合わせの押釦キーの押釦を検知したとすることが好ましい。
このような構成とすると、検知手段の押釦判断手段が、押釦キーの押釦が所定時間以上継続したときに押釦キーの押釦有りを判断するので、ちょっとした押し違いなどに検知手段が反応することが無くなり、認証手段の送信操作を容易に行うことができる。
【００１５】
また、前記検知手段が、該組み合わせ記憶手段に記憶される押釦キーの組み合わせを設定変更可能な組み合わせ設定手段を備えることが好ましい。
このような構成とすると、組み合わせ設定手段により、押釦キーの組み合わせを変えることができ、よりセキュリティ性能を向上させることができる。
【００１６】
また、前記サーバが、前記生体情報を蓄積し、該蓄積された生体情報に基づいて健康管理情報を構築するとともに当該構築した健康管理情報を健康管理情報記憶手段に記憶させる健康管理情報構築手段を備え、前記携帯情報端末のうち、前記管理対象者側の携帯情報端末が、前記生体情報を前記サーバに送信する生体情報送信手段を備えることが好ましい。
このような構成とすると、生体情報を管理対象者側から送信する際にも、逐一、パスワードを入力しなくてもよくなり、管理対象者が生体情報の送信を簡単に行うことができ、管理対象者の生体情報の蓄積を促進でき、有効な健康管理情報を構築することができる。
また、例えば、医療機関に赴かなくとも、生体情報を蓄積することができる。
【００１７】
また、前記携帯情報端末が、前記管理対象者の生体情報を採取する生体情報採取手段を備え、前記生体情報送信手段が、前記生体情報採取手段で採取した生体情報を送信することが好ましい。
このような構成とすると、生体情報送信手段が、生体情報採取手段で採取した生体情報を送信するので、生体情報採取手段が別体のものに比較して、生体情報の送信を容易に行うことができる。
ここで、生体情報を採取する生体情報採取手段としては、例えば、体温計測器、血圧計測器、及び、脈拍計測器があげられる。
【００１８】
また、前記管理対象者が、母親及びその子供であることが好ましい。
このような構成とすると、母親及び子供だけでなく、例えば、子供の祖父母などにも健康管理情報を閲覧させることができる。
そのため、仮に、子供の祖父母が、子供及びその親とは離れたところに済んでいても、用意に健康管理情報を容易に閲覧することができ、子供の親が、祖父母から子育てに関する適切なアドバイスを、容易に受けることができる。
【００１９】
上記目的を達成するため、本発明の携帯情報端末は、健康管理の対象となる管理対象者の生体情報を蓄積して健康管理情報を構築するサーバにネットワークを介して互いに通信可能に接続されるとともに、前記サーバとの通信により前記健康管理情報を閲覧可能な携帯情報端末であって、複数の押釦キーからなる入力手段と、前記認証情報を記憶する認証情報記憶手段と、該認証情報記憶手段から認証情報を読み込む読込手段と、該読込手段が読み込んだ認証情報を前記サーバに送信可能な認証情報送信手段と、前記入力手段の複数の押釦キーのうち、特定の組み合わせの押釦キーが同時に押釦されたことを検知する検知手段と、該検知手段の検知があったときに前記認証情報送信手段の認証情報の送信を許容する送信許容手段とを備えている。
【００２０】
このような構成からなる携帯情報端末は、特定組み合わせの押釦キーを、押釦するだけでサーバに認証情報を容易に送信することができ、携帯情報端末とサーバの通信を簡単に行うことができる。
【００２１】
上記目的を達成するため、本発明の携帯情報端末に用いられるプログラムは、健康管理の対象となる管理対象者の生体情報を蓄積して健康管理情報を構築するサーバにネットワークを介して互いに通信可能に接続されるとともに、前記サーバとの通信により前記健康管理情報を閲覧可能な携帯情報端末であって、複数の押釦キーからなる入力手段と、前記認証情報を記憶する認証情報記憶手段と、を備える携帯情報端末において、前記認証情報記憶手段から認証情報を読み込む機能と、該読込手段が読み込んだ認証情報を前記サーバに送信する機能と、認証情報の送信のときに、前記入力手段の複数の押釦キーのうち、特定の組み合わせの押釦キーが同時に押釦されたことを検知する検知機能と、該検知機能の検知があったときに前記認証情報の送信を許容する機能を実現させる構成としている。
このような構成からなるプログラムによれば、携帯情報端末にインストールすればよい。
このプログラムがインストールされた携帯情報端末は、特定組み合わせの押釦キーを、押釦するだけでサーバに認証情報を容易に送信することができ、携帯情報端末とサーバの通信を簡単に行うことができる。
【発明の効果】
【００２２】
以上のように、本発明の装置によれば、検知手段が、特定の組み合わせの押釦キーが同時に押釦されたことを検知したときに、認証情報送信手段から認証情報が送信されるので、特定組み合わせの押釦キーを、押釦するだけでサーバに認証情報を容易に送信することができ、携帯情報端末とサーバの通信を簡単に行うことができる。
また、子供の祖父母のような高齢者など、携帯情報端末の扱いが不慣れなものにとっても、パスワードの入力あまり手間取ることがなくなり、健康管理情報を容易に閲覧することができる。
また、認証情報記憶手段に記憶された認証情報としてのパスワードを適当な長さにしておけば、セキュリティ性能を維持することができる。
【発明を実施するための最良の形態】
【００２３】
以下、本発明に係る健康状態管理情報支援システムの好ましい一実施形態について、説明する。
【００２４】
図１及び図２に示すように、健康状態管理支援システムは、健康状態の管理対象として、妊婦、又は、出産後の母親及びその子供の健康状態を管理したり健康管理を支援したりするための母子健康手帳システムである。
このシステムの具体的な構成は、健康状態の管理対象となる管理対象者Ｐ１の健康管理情報を記憶する健康管理情報記憶手段１０を備えるサーバ１と、サーバ１にネットワークＮを介して互いに通信可能に接続されるとともに、通信により少なくとも健康管理情報を閲覧可能な携帯情報端末２，２ａと、から構成されている。
【００２５】
サーバ１は、例えば、医療機関５に設置され、情報を暗号化して送受信可能なセキュリティサーバ１で構成されている。
サーバ１の健康管理情報記憶手段１０は、各健康管理対象者Ｐ１に対応した複数の健康管理情報が記憶されている。
この健康管理情報は、医師などの医療従事者が、例えば、管理対象者Ｐ１の定期的な検診の際に採取した、生体情報に基づいて構築される。
また、健康管理情報は、例えば、妊娠時期において、妊娠中の経過、写真、医師のコメント等の情報や、出産後においては、乳児の生育情報（平均グラフ）、乳幼児健診・予防接種等の事前情報、乳幼児の病気・疾患などの情報からなる。
生体情報は、例えば、身長、体重、体温、血圧、脈拍などの管理対象者Ｐ１の健康状態に関する情報である。
【００２６】
サーバ１には、携帯情報端末２から所定の認証情報２１５を受信し、認証情報２１５に基づいて携帯情報端末２との通信を認証する認証手段１１と、認証手段１１による認証が成功したときに携帯情報端末２との通信を許容する通信許容手段１２と、を備えている。
【００２７】
認証手段１１は、例えば、携帯情報端末２がサーバ１との通信に際してサーバ１へのアクセスパスワード２１２を記憶する機能と、管理対象者Ｐ１及び管理対象者Ｐ１が閲覧を許可する第三者Ｐ２の端末情報ＩＤ２１０を記憶する機能と、管理対象者Ｐ１が設定した健康管理情報を閲覧するための管理対象者パスワード２１１を記憶する機能と、を備えている。
そして、認証情報２１５に含まれる端末情報ＩＤ２１０と、アクセスパスワード２１２と、管理対象者パスワード２１１のそれぞれと、認証手段１１が記憶する端末情報ＩＤ２１０と、アクセスパスワード２１２と、管理対象者パスワード２１１とを比較し、これらが一致したときに、その携帯情報端末２の認証を行なう。
【００２８】
通信許容手段１２は、携帯情報端末２の端末情報ＩＤ２１０に応じた健康管理情報の閲覧を許容している。
また、通信許容手段１２は、認証が成功した携帯情報端末２に向けて、通信が可能となったことを知らせる通信許可信号を送信する。
【００２９】
また、サーバ１は、生体情報を蓄積し、蓄積された生体情報に基づいて健康管理情報を構築するとともに構築した健康管理情報を健康管理情報記憶手段１０に記憶させる健康管理情報構築手段１３を備えている。
健康管理情報構築手段１３は、サーバ１にネットワークＮを介して接続された複数の情報提供サーバ６にから、サーバ１に生体情報が入力された生体情報に関連する健康管理に関する各種サービス情報を受信し、これらをまとめることにより健康管理情報を構築する。
【００３０】
情報提供サーバ６から提供される各種サービス情報は、例えば、各年齢ごとの乳幼児の平均身長及び体重のような一般的な情報や、季節や年齢に応じた注意が必要な病気やその予防情報などである。
また、健康管理情報構築手段１３は、生体情報が入力されるたびに健康管理情報を構築しなおして、健康管理情報記憶手段１０の健康管理情報を更新していく。
【００３１】
携帯情報端末２は、図３にも示すように、いわゆる携帯電話であり、メモリなどの記憶装置（図示せず）及びＣＰＵなどの演算処理装置（図示せず）を備えてなる。
この携帯情報端末２は、母親などが所持する管理対象者Ｐ１側の携帯情報端末２と、祖父母などの第三者Ｐ２が所有する携帯情報端末２ａとがある。
【００３２】
まず、管理対象者Ｐ１側の携帯情報端末２から説明する。
この携帯情報端末２は、複数の押釦キー２００からなる入力手段２０と、認証情報２１５を記憶する認証情報記憶手段２１と、認証情報記憶手段２１から認証情報２１５を読み込む読込み手段２２と、読込み手段２２が読み込んだ認証情報２１５を前記サーバ１に送信可能な認証情報送信手段２３と、入力手段２０の複数の押釦キー２００のうち、特定の組み合わせの押釦キー２００が同時に押釦されたことを検知する検知手段２４と、該検知手段２４の検知があったときに前記認証情報送信手段２３の認証情報２１５の送信を許容する送信許容手段２３ａと、を備えている。
【００３３】
入力手段２０の押釦キー２００は、０〜９の数字入力キー、アスタリスクキー、シャープキー、通話キー、終話キーなどからなる。
認証情報記憶手段２１は、認証情報２１５として、携帯情報端末２固有の端末情報ＩＤ２１０と、管理対象者Ｐ１が設定する管理対象者パスワード２１１と、サーバ１にアクセスするためのアクセスパスワード２１２とを記憶している。
認証情報２１５のうち、管理対象者パスワード２１１及びアクセスパスワード２１２は、暗号化されて記憶されている。
【００３４】
また、端末情報ＩＤ２１０は、携帯情報端末２の製造時に付与されるものである。なお、この端末情報ＩＤ２１０は、携帯情報端末２の設定により、通信に用いないようにすることができる。
管理対象者パスワード２１１は、管理対象者Ｐ１が任意に設定するパスワードである。
また、サーバ１へのアクセスパスワード２１２は、医療機関５が設定するパスワードである。
【００３５】
読込み手段２２は、認証情報記憶手段２１から認証情報２１５を取り出しがなされないときには、エラーを出力する。
認証情報送信手段２３は、送信許容手段２３ａにより送信が許容されないときには、エラーを出力する。
【００３６】
検知手段２４は、押釦キー２００の特定の組み合わせを記憶する組み合わせ記憶手段２４２と、押釦キー２００の押釦時間を計測し、押釦キー２００の押釦が所定時間以上継続したときに押釦キー２００の押釦有りを判断する押釦判断手段２４１と、押釦判断手段２４１が押釦有りを判断したときに、該押釦された押釦キー２００が前記組み合わせ記憶手段２４２に記憶された組み合わせと一致するか否かを判断する検証手段２４０と、を備えている。
そして、検知手段２４は、検証手段２４０が一致を判断したときに特定の組み合わせの押釦キー２００の押釦を検知することとしている。
具体的には、検知手段２４は、押釦キー２００のうち、例えば、０，３，９の三つの数字キーが、１秒以上押釦されたときに、これを検知するように設定される。
【００３７】
検知手段２４は、検知手段２４で検知する押釦キー２００の組み合わせを設定変更可能な組み合わせ設定手段２４３を備えている。
組み合わせ設定手段２４３は、携帯電話のユーザである管理対象者Ｐ１（親）が、任意のキーを設定可能となっている。
これらの機能手段（２２〜２４）は、携帯情報端末２の記憶装置に記憶されたソフトウェアで実現されており、演算処理装置で実行される。
【００３８】
また、携帯情報端末２には、認証情報２１５を設定する認証情報設定手段２９が備えられている。
認証情報設定手段２９は、携帯情報端末２のユーザ（親）により、入力手段２０を用いて入力された、医療機関５から発行されたアクセスパスワード２１２及び管理対象者パスワード２１１などを、認証情報記憶手段２１に暗号化して記憶させる。
【００３９】
また、携帯情報端末２は、管理対象者Ｐ１側の携帯情報端末２が、生体情報を前記サーバ１に送信する生体情報送信手段２５を備えている。
生体情報送信手段２５は、後述の生体情報採取手段２６から採取した生体情報を受け取って、これらをまとめてサーバ１に送信する。
また、生体情報送信手段２５は、生体情報採取手段２６が無いときに、入力キーにより入力された、例えば、体温、血圧、脈拍などの生体情報を送信可能となっている。
【００４０】
また、携帯情報端末２には、管理対象者Ｐ１の生体情報を採取する生体情報採取手段２６が備えられている。
この生体情報採取手段２６は、携帯情報端末２に専用のケーブルを介して外付けされる各種センサー装置であって、例えば、体温計測器２６０、血圧計測器２６１、及び、脈拍計測器２６２を備えている。
生体情報採取手段２６は、管理対象者Ｐ１の生体情報を計測すると、生体情報送信手段２５に生体情報を送る。
【００４１】
また、携帯情報端末２には、通信許可信号を受信後に、サーバ１から健康管理情報をダウンロードする健康管理情報取得手段２７が備えられている。
そして、健康管理情報取得手段２７は、健康管理情報を、一時的に、携帯情報端末２の記憶装置に記憶し、表示手段２８にこれを表示する。
表示手段２８は、液晶などのディスプレイで構成されている。
また、携帯情報端末２には、閲覧が終了した後に、記憶装置から、健康管理情報を消去する消去手段（図示せず）が設けられている。
【００４２】
次に、以上のような構成からなる本実施形態の健康状態管理支援システムの動作を、図４〜図１０に示すフローチャートにしたがって説明する。
【００４３】
まず、予め、携帯情報端末２は、認証情報設定手段２９及び組み合わせ設定手段２４３により、認証情報２１５の設定及び押釦キー２００の組み合わせの設定を行なう。
図４に示すように、組み合わせ設定手段２４３により、押釦キー２００の組み合わせ（０，３，９の数字キー）を組み合わせ記憶手段２４２に記憶させて、検知する組み合わせ押釦キー２００を設定する。この組み合わせの設定は、携帯情報端末２のユーザ（親）が、設定の際に、例えば、実際に検知する押釦キー２００を同時に押釦することにより行なわれる（Ｓ１−１）。
次に、認証情報送信手段２３で送信される認証情報２１５である、セキュリティサーバ１へのアクセスパスワード２１２を入力し（Ｓ１−２）、管理対象者Ｐ１が任意に設定した管理対象者パスワード２１１も入力する（Ｓ１−３）。
そして、入力されたアクセスパスワード２１２及び管理対象者パスワード２１１は、認証情報設定手段２９により、暗号化され、認証情報記憶手段２１に記憶される。（Ｓ１−４）。
この認証情報設定手段２９及び組み合わせ設定手段２４３は、アクセスパスワード２１２、管理対象者パスワード２１１、及び、押釦する押釦キー２００の組み合わせを変更するときに、上記の動作をおこなう。
【００４４】
次に、図５に示すように、携帯情報端末２から医療機関５内に設置されたサーバ１へ生体情報を送信するときは以下のようになる。
まず、読込み手段２２が、認証情報記憶手段２１から端末情報ＩＤ２１０を取得する（Ｓ２−１）。端末情報ＩＤ２１０が取得できたかを判断し（Ｓ２−２）、端末情報ＩＤ２１０が取得できない場合は（Ｓ２−２Ｎ）、エラー画面を表示手段２８に表示して生体情報の送信を終了する（Ｓ２−３）。
端末情報ＩＤ２１０の取得に成功した場合は（Ｓ２−２Ｙ）、端末情報ＩＤ２１０を一時的に保持する（Ｓ２−４）。また、読込み手段２２により、暗号化されたアクセスパスワード２１２及び管理対象者パスワード２１１も複合して読み込み、一時的に保持する。
次に、生体情報送信手段２５が動作し（Ｓ２−５）、表示手段２８に例えば、母子の体重や身長等の生体情報の入力のための入力画面を表示させる（Ｓ２−６）。
入力手段２０から生体情報の入力があるときは、携帯情報端末２のユーザ（親）が、入力画面を視認しながら、入力手段２０を用いて入力を行なう。
【００４５】
このときに、入力画面において、管理対象者Ｐ１側の携帯情報端末２以外の携帯情報端末２の端末情報ＩＤ２１０であって、健康管理情報を閲覧可能とする携帯情報端末２の端末情報ＩＤ２１０と、この端末情報ＩＤ２１０に対応するパスワードも入力が可能になっている。
【００４６】
次に、生体情報採取手段２６が起動し、管理対象者Ｐ１の生体情報を取得する画面を表示手段２８に表示する（Ｓ２−７）。そして、各計測器を用いて母子の生体情報を取得する。そして、上記の生体情報をまとめて携帯情報端末２の記憶装置に一時的に保存する。
その後、認証情報送信手段２３が、医療機関５内に設置されたセキュリティサーバ１にアクセスする（Ｓ２−８）。セキュリティサーバ１へ正常にアクセスできた場合は、認証情報送信手段２３が、表示手段２８に認証情報２１５の要求画面を表示させる（Ｓ２−９）。
この際、携帯情報端末２のユーザは、予め、設定した任意の複数の押釦キー２００（０，３，９の数字キー）を所定時間押釦する。
このようにすると、図６に示すように、検知手段２４は、まず、押釦判断手段２４１が、所定時間の押釦キー２００の継続があったときに、押釦キー２００の押釦有りを判断する（Ｓ４−１Ｙ）。そして、検証手段２４０が、押釦されたキーと、組み合わせ記憶手段２４２に記憶された押釦キー２００の組み合わせとを比較する（Ｓ４−２）。そして、検証手段２４０が、押釦されたキーと、組み合わせ記憶手段２４２に記憶された押釦キー２００との一致を判断したときに（Ｓ４−３Ｙ）、検知手段２４が、特定組み合わせの押釦キー２００の押釦を検知する（Ｓ４−４）。
次に、送信許容手段２３ａが認証情報送信手段２３の認証情報の送信を許容し（Ｓ４−５）、認証情報送信手段２３が、認証情報２１５をサーバ１に向けて送信する（Ｓ４−６）。
また、検証手段２４０が不一致を判断したときは、エラーを出力し、再度、押釦キー２００の押釦を求める（Ｓ４−２Ｎ，Ｓ４−７）。
【００４７】
次に、サーバ１においては、図７に示すように、常時は、情報のアクセス要求の待ち受け状態である（Ｓ３−１，Ｓ３−２Ｎ）。
サーバ１が、携帯情報端末２からアクセス要求としての認証情報２１５を受信すると（Ｓ３−２Ｙ）、認証手段１１により、認証情報２１５に含まれる端末情報ＩＤ２１０、アクセスパスワード２１２、及び、管理対象者パスワード２１１をそれぞれ、認証手段１１が記憶する端末情報ＩＤ２１０と、アクセスパスワード２１２と、管理対象者パスワード２１１とを比較する。そして、これらが一致したときに、認証を行なう（Ｓ３−３，Ｓ３−４Ｙ）。
認証手段１１が、この認証手段１１の認証情報２１５と携帯情報端末２からの認証情報２１５が一致したときは、通信許可信号を携帯情報端末２に向けて送信する（Ｓ３−５）。
【００４８】
携帯情報端末２は、通信許可信号を受信すると（Ｓ２−１０）、生体情報送信手段２５が、生体情報採取手段２６などからの生体情報をサーバ１に向けて送信する（Ｓ２−１１）。
この間、サーバ１は、携帯情報端末２からの生体情報の受信を待機している（Ｓ３−６Ｎ）。そして、サーバ１が、生体情報を受信すると（Ｓ３−６Ｙ）、生体情報をサーバ１の記憶装置内に蓄積し、健康管理情報構築手段１３が健康管理情報を更新する（Ｓ３−８）。
また、サーバ１は、認証手段１１による認証が失敗したときは、携帯情報端末２に、エラー信号を返信し、（Ｓ３−７）、アクセス要求の待ち受け状態へ戻る（Ｓ３−１）。
【００４９】
サーバ１の健康管理情報構築手段１３は、以下のようにして健康管理情報を更新する。
図８に示すように、医療機関５内に設置されたサーバ１が、情報提供サーバ６からの各種サービス情報の更新を待ち受けており（Ｓ５−１）、情報提供サーバ６より、提供する情報の更新通知があった際は、外部サーバ１から情報を取得する（Ｓ５−２Ｙ，Ｓ５−３）。
次に、サーバ１内に、予め、保存された各種サービス情報を、新たなサービス情報に更新し（Ｓ５−４）、更新された情報を元に健康管理情報を再構築する（Ｓ５−５）。
また、このほかにも、例えば、管理対象者Ｐ１である母子が、医療機関５における検診を受けたときには、医療機関５の医療従事者が、子供の成育状態、写真、医師のコメント等を健康管理情報の一部として、直接サーバ１に入力する。
このようにして、サーバ１が提供する健康管理情報（妊娠時期：妊娠中の経過、写真、医師のコメント等、出産後：生育情報（平均グラフ）、乳幼児健診・予防接種等の事前情報、乳幼児の病気・疾患等の情報）が更新・構築される。
【００５０】
このようにして構築されたサーバ１の健康管理情報は、携帯情報端末２により、図９に示すように、以下のようにして閲覧される。
管理対象者Ｐ１が所有する携帯情報端末２は、上記と同様にして、読込み手段２２が携帯情報端末２内の端末情報ＩＤ２１０を読み込む（Ｓ６−１）。
そして、端末情報ＩＤ２１０が取得できたかを判断し（Ｓ６−２）、端末情報ＩＤ２１０が取得できない場合は（Ｓ６−３）、エラー画面を表示手段２８に表示して健康管理情報の閲覧を終了する。
また、読込み手段２２が、上記と同様にして、アクセスパスワード２１２及び管理対象者パスワード２１１も読み込む。
【００５１】
次に、健康管理情報取得手段２７を作動させ、サーバ１へアクセスする（Ｓ６−５，Ｓ６−６）。
サーバ１と通信するには、上記と同様にして認証情報２１５をサーバ１に送信する。
すなわち、セキュリティサーバ１へ正常にアクセスできた場合は、認証情報送信手段２３が、認証要求画面を表示する（Ｓ６−７）。
【００５２】
この際、携帯情報端末２は、予め、設定した任意の複数の押釦キー２００（０，３，９の数字キー）を所定時間押釦する。この際、押釦判断手段２４１が、所定時間の押釦キー２００の継続があったときに、押釦キー２００の押釦有りを判断し（Ｓ４−１Ｙ）、検証手段２４０が、押釦されたキーと、組み合わせ記憶手段２４２に記憶された押釦キー２００の組み合わせとを比較する（Ｓ４−２）。そして、検証手段２４０が、一致を判断したときに（Ｓ４−３Ｙ）、検知手段２４が、特定組み合わせの押釦キー２００の押釦を検知する（Ｓ４−４）。
次に、送信許容手段２３ａが認証情報送信手段２３の認証情報の送信を許容し（Ｓ４−５）、認証情報送信手段２３が、認証情報２１５をサーバ１に向けて送信する（Ｓ４−６）。
また、検証手段２４０が不一致を判断したときは、エラー画面を出力し、再度、押釦キーを押すよう促す（Ｓ４−７）。
【００５３】
一方、サーバ１においては、図１０に示すように、上記と同様に、常時は、情報のアクセス要求の待ち受け状態である（Ｓ７−１，Ｓ７−２Ｎ）。
サーバ１が、携帯情報端末２からアクセス要求としての認証情報２１５を受信すると（Ｓ７−２Ｙ）、認証手段１１により、認証情報２１５に含まれる端末情報ＩＤ２１０、アクセスパスワード２１２、及び、管理対象者パスワード２１１をそれぞれ、認証手段１１が記憶する端末情報ＩＤ２１０と、アクセスパスワード２１２と、管理対象者パスワード２１１とを比較する。そして、これらが一致したときに、認証を行なう（Ｓ７−３）。
認証手段１１が、この認証手段１１の認証情報２１５と携帯情報端末２からの認証情報２１５が一致したときは、通信許可信号を携帯情報端末２に向けて送信する（Ｓ７−４Ｙ，Ｓ７−５）。
【００５４】
携帯情報端末２は、通信許可信号を受信すると（Ｓ６−８Ｙ）、健康管理情報取得手段２７が、サーバ１に健康管理情報の送信を要求する（Ｓ６−９）。
次に、サーバ１が、携帯情報端末２から健康管理情報の要求を受信すると（Ｓ７−６Ｙ）、この携帯情報端末２に健康管理情報を送信する（Ｓ７−８）。
このようにして、健康管理情報取得手段２７は、健康管理情報をダウンロードし、これを携帯情報端末２の記憶装置に一時的に記憶する（Ｓ６−１０Ｙ）。
そして、表示手段２８にこの健康管理情報を表示して、携帯情報端末２のユーザ（親）が、これを閲覧する（Ｓ６−１１）。
なお、上記と同様に、認証が失敗した場合は、再度、認証要求画面（Ｓ６−８Ｎ，Ｓ６−７）へ戻る。
閲覧を終了したならば、消去手段が、一時的に携帯情報端末２の記憶装置に記憶された健康管理情報を消去する。
【００５５】
次に、子供の祖父母など、管理対象者Ｐ１以外の第三者Ｐ２が所有する携帯情報端末２ａは、上記の管理対象者Ｐ１用の携帯情報端末２とほぼ同様であるが、これと異なり、生体情報採取手段２６及び生体情報送信手段２５がない。
その他の構成は、上記のものと同様である。
したがって、上記の健康管理情報のみの閲覧が可能となっている。
【００５６】
なお、このような第三者Ｐ２の携帯情報端末２ａにおいて、管理対象者Ｐ１が、サーバ１に第三者Ｐ２の携帯情報端末２の端末情報ＩＤ２１０を、生体情報の送信などの際に登録しない限り、サーバ１の認証手段１１に端末情報ＩＤ２１０が記憶されないことから、閲覧ができないこととなる。
【００５７】
以上説明したように、本実施形態に係る通信システムによれば、予め、アクセスパスワード２１２、管理対象者パスワード２１１などを含む認証情報２１５を記憶する認証情報記憶手段２１に記憶しておくとともに、検知手段２４が、特定の組み合わせの押釦キー２００が同時に押釦されたことを検知したときに、送信許容手段２３ａで、認証情報送信手段２３の認証情報２１５の送信を許容するので、逐一パスワードなどを入力手段２０の押釦キー２００を押釦して入力しなくてもよくなる。
これにより、サーバ１の健康管理情報を閲覧したり、生体情報を送信したりする際に、予め、登録した特定組み合わせの押釦キー２００を、押釦するだけでサーバ１に認証情報２１５を容易に送信することができ、携帯情報端末２とサーバ１の通信を簡単に行うことができる。
すなわち、スムーズに母子健康手帳に関する各種サービスを含む健康管理情報を、管理対象者Ｐ１に提供することができる。
【００５８】
また、子供の祖父母のような高齢者など、携帯情報端末２，２ａの扱いが不慣れなものにとっても、パスワードの入力あまり手間取ることがなくなり、健康管理情報を容易に閲覧することができる。
これにより、仮に、子供の祖父母が、子供及びその親とは離れたところに済んでいても、用意に健康管理情報を容易に閲覧することができ、子供の親が、祖父母から子育てに関する適切なアドバイスを、容易に受けることができる。
【００５９】
また、生体情報を管理対象者Ｐ１側から送信する際にも、逐一、パスワードを入力しなくてもよくなり、管理対象者Ｐ１が生体情報の送信を簡単に行うことができ、管理対象者Ｐ１の生体情報の蓄積を促進でき、有効な健康管理情報を構築することができる。
また、認証情報記憶手段２１に記憶された認証情報２１５であるアクセスパスワード２１２及び管理対象者パスワード２１１を適当な長さにしておけば、セキュリティ性能を維持することができる。
【００６０】
検知手段２４の押釦判断手段２４１が、押釦キー２００の押釦が所定時間以上継続したときに押釦キー２００の押釦有りを判断するので、ちょっとした押し違いなどに検知手段２４が反応することが無く、認証手段１１の送信操作を容易に行うことができる。
また、組み合わせ設定手段２４３により、押釦キー２００の組み合わせを変えることができ、よりセキュリティ性能を向上させることができる。
【００６１】
携帯情報端末２が、管理対象者Ｐ１の生体情報を採取する生体情報採取手段２６を備え、生体情報送信手段２５が、生体情報採取手段２６で採取した生体情報を送信するので、生体情報採取手段２６が別体のものに比較して、逐一、入力手段で測定結果を入力しなくて済むので、生体情報の送信を容易に行うことができる。
これにより、管理対象者Ｐ１の生体情報の蓄積を促進でき、有効な健康管理情報を構築することができる。
【００６２】
以上、本発明の健康状態管理支援システムについて、好ましい実施形態を示して説明したが、本発明に係る健康状態管理支援システムは、上述した実施形態にのみ限定されるものではなく、本発明の範囲で種々の変更実施が可能であることは言うまでもない。
例えば、本実施形態携帯情報端末に備えるセンサー部に、歩数計測器や管理対象者の健康状態が明確となる情報を追加し、高齢者を管理対象者としてよい。この場合、高齢者の保護者が、情報開示可能とする携帯情報端末を携帯することが好ましい。このようにすると、保護者が、高齢者の健康管理を容易に行うことができる。
また、情報開示可能とする携帯情報端末を医療機関の医師が携帯するようにしてよい。このようにすると、医師が健康管理情報を閲覧することなどができ、好ましい。
【図面の簡単な説明】
【００６３】
【図１】本発明の一実施形態に係る健康状態管理支援システムを示す概略図である。
【図２】本発明の一実施形態に係る健康状態管理支援システムを示すブロック図である。
【図３】本発明の一実施形態に係る健康状態管理支援システムの携帯上端末を示す概略図である。
【図４】本発明の一実施形態に係る健康状態管理支援システムの携帯情報端末の初期設定のフローチャート図である。
【図５】本発明の一実施形態に係る健康状態管理支援システムの携帯情報端末において、生体情報を送信するときのフローチャート図である。
【図６】本発明の一実施形態に係る健康状態管理支援システムの携帯情報端末において、認証情報の送信のときのフローチャート図である。
【図７】本発明の一実施形態に係る健康状態管理支援システムのサーバにおいて、生体情報の受信のときのフローチャート図である。
【図８】本発明の一実施形態に係る健康状態管理支援システムのサーバにおいて、健康管理情報の構築のときのフローチャート図である。
【図９】本発明の一実施形態に係る健康状態管理支援システムの携帯情報端末において、健康管理情報を閲覧するときのフローチャート図である。
【図１０】本発明の一実施形態に係る健康状態管理支援システムのサーバ装置において、健康管理情報を送信するときのフローチャート図である。
【符号の説明】
【００６４】
Ｎ  ネットワーク
１  セキュリティサーバ
１０  健康管理情報記憶手段
１１  認証手段
１２  通信許容手段
１３  健康管理情報構築手段
２  携帯情報端末（管理対象者側）
２ａ  携帯情報端末（管理対象者以外）
２０  入力手段
２１  認証情報記憶手段
２２  読込み手段
２３  認証情報送信手段
２３ａ  送信許容手段
２４  検知手段
２４０  検証手段
２４１  押釦判断手段
２４２  組み合わせ記憶手段
２４３  組み合わせ設定手段
２５  生体情報送信手段
２６  生体情報採取手段
２６０  体温計測器
２６１  血圧計測器
２６２  脈拍計測器
２７  健康管理情報取得手段
２８  表示手段
５  医療機関
６  情報提供サーバ
【図１】
2008250362.tif 000003
【図２】
2008250362.tif 000004
【図３】
2008250362.tif 000005
【図４】
2008250362.tif 000006
【図５】
2008250362.tif 000007
【図６】
2008250362.tif 000008
【図７】
2008250362.tif 000009
【図８】
2008250362.tif 000010
【図９】
2008250362.tif 000011
【図１０】
2008250362.tif 000012